(57)【要約】      （修正有）【課題】動作中もシャッターの開閉動作を行うことができ、しかも、風の広がりを調節できるフードユニットを備えたヘアードライヤーを提供する。【解決手段】ヘアードライヤー本体の風吹き出し口３２に取り付けられるノズル部材３０、このノズル部材の外周に配置されたシャッター部材４０、および風の通路を形成するほぼ円筒のフード本体５０を備え、前記ノズル部材の後方部分には、周方向に間隔を開けて、ノズル部材内部から外方に風を送るための複数のノズル窓孔３８を設ける。前記シャッター部材は、周方向に回動可能に設けると共に、前記ノズル窓孔と重なり合う位置と、外れた位置との間で移動可能なシャッター窓孔４２を備える。又、前記シャッター部材には、該シャッター部材から外方に突出して延び、取扱者が前記シャッター部材を回動させることができる操作部材４６を備えてなる。【選択図】図４
0003156404.tif 000002
【実用新案登録請求の範囲】
【請求項１】
手持ち型のヘアードライヤーであって、
ヘアードライヤー本体の風吹き出し口に着脱可能に取り付けられたフードユニットを備えており、
前記フードユニットが、先端に風吹き出し口を有するほぼ円筒状の前方部分と、この前方部分の後端から斜め外方後方に延びる円錐台筒状形状の後方部分を持ち、この後方部分の後端部で前記ヘアードライヤー本体の風吹き出し口に取り付けられるノズル部材、このノズル部材の前記後方部分に外周に沿って重なって配置されたシャッター部材、および前記ノズル部材の前方部分および後方部分の外周との風の通路を形成するほぼ円筒のフード本体を備え、
前記ノズル部材の後方部分には、周方向に間隔を開けて、ノズル部材内部から外方に風を送るための複数のノズル窓孔が設けられており、
前記シャッター部材は、前記ノズル部材の後方部分に対して周方向に回動可能に設けられていると共に、前記ノズル窓孔と重なり合う第1位置とノズル窓孔から外れた第2位置との間で移動可能なシャッター窓孔を備えており、
前記シャッター部材には、該シャッター部材から外方に突出して延び、取扱者が操作することにより、前記シャッター部材を回動させることができる操作部材を備えており、前記フード本体の先端とノズル部材の先端とがほぼ同位置にあり、
前記シャッター部材を回動させることにより、前記ノズル窓孔を開放または閉鎖する構造となっていることを特徴とするヘアードライヤー。
【考案の詳細な説明】
【技術分野】
【０００１】
本考案は、手持ち型のヘアードライヤーに関し、さらに詳細には、取扱者が高温となる部材に触れることなく、吹き出し風の強弱を調節できるフードユニットを備えたヘアードライヤーに関する。
【背景技術】
【０００２】
従来から、吹き出し風の強弱を調節できる、ノズルおよびシャッターから成る機構を備えたヘアードライヤーが考案されている。
【０００３】
例えば、特許第３１５１５６８号のヘアードライヤーは、その先端に吹出口５（符号は特許第３１５１５６８号公報による。以下同じ）を有し、かつ内部に送風装置１５を配備した本体ケース１と、本体ケース１の吹出口５に取り付けられた、周壁に噴出孔２３を有する筒状のノズル２０と、ノズル２０のリング筒部２０ａの内周または外周に沿ってスライド自在に装着されて噴出孔２３を開閉するシャッタ２１とからなり、ノズル２０のリング筒部２０ａの内周に、ノズル２０よりも高剛性材料からなる円板状の吹出口グリル２２を直接に圧入嵌合してなる構成を有している。
【先行技術文献】
【特許文献】
【０００４】
【特許文献１】特許第３１５１５６８号公報
【考案の概要】
【考案が解決しようとする課題】
【０００５】
しかしながら、特許第３１５１５６８号公報における実施例では、シャッタがリング筒部２０ａの内側に配置されており、開閉操作ノブ２６は、該シャッタ筒部に一体に結合されている。シャッタ筒部は、ヘアードライヤーの作動中熱風に曝され、高熱となり、これに伴って開閉操作ノブも高熱となるため、作動中は実質的に開閉操作ノブに触れることができず、開閉操作ができないという問題がある。
【０００６】
また、特許第３１５１５６８号公報における実施例では、ノズル２０の円錐筒部２０ｂの風吹き出し部が長円筒部２０ｃの可成り内部の位置になっているので、風の広がりが、シャッタを開けても閉めても同じになってしまうと言う問題がある。
【０００７】
そこで、本考案は、動作中もシャッターの開閉動作を行うことができ、しかも、シャッター部材によるノズル窓孔の開閉により風の広がりを調節できるフードユニットを備えたヘアードライヤーを提供することを目的とする。
【課題を解決するための手段】
【０００８】
本考案によるヘアードライヤーは 、
手持ち型のヘアードライヤーであって、
ヘアードライヤー本体の風吹き出し口に取り付け可能なフードユニットを備えており、
前記フードユニットが、先端に風吹き出し口を有するほぼ円筒状の前方部分と、この前方部分の後端から斜め外方後方に延びる円錐台筒状形状の後方部分を持ち、この後方部分の後端部で前記ヘアードライヤー本体の風吹き出し口に取り付けられるノズル部材、このノズル部材の前記後方部分に外周に沿って重なって配置されたシャッター部材、および前記ノズル部材の前方部分および後方部分の外周との風の通路を形成するほぼ円筒のフード本体を備え、
前記ノズル部材の後方部分には、周方向に間隔を開けて、ノズル部材内部から外方に風を送るための複数のノズル窓孔が設けられており、
前記シャッター部材は、前記ノズル部材の後方部分に対して周方向に回動可能に設けられていると共に、前記ノズル窓孔と重なり合う第1位置とノズル窓孔から外れた第2位置との間で移動可能なシャッター窓孔を備えており、
前記シャッター部材には、該シャッター部材から外方に突出して延び、取扱者が操作することにより、前記シャッター部材を回動させることができる操作部材を備えており、前記フード本体の先端とノズル部材の先端とがほぼ同位置にあり、
前記シャッター部材を回動させることにより、前記ノズル窓孔を開放または閉鎖する構造となっていることを特徴とする。
【考案の効果】
【０００９】
本考案の手持ち型のヘアードライヤーでは、ノズル部材の後方部分の外側にシャッター部材が配置されていること、吹き出し風の強弱を調節する操作部材が外部に突出していることが相俟って、操作部材がほとんど加熱されず、したがって、ヘアードライヤーを熱風吹き出し状態で使用していても、取扱者が容易に操作部材を把持してシャッター部材を操作できる。
詳細には、操作部材はシャッターと一体的に形成されているため、シャッターが開口している場合には、熱風はノズル部材により遮断されシャッターに当らず、操作部材に熱が伝わることはない。逆にシャッターが開いている場合には、その開いた部位にのみ温風が当たることになるが、その面積は非常に小さいため、操作部材が過熱されることはない。
【００１０】
さらに、本考案のヘアードライヤーにおいては、上記のような構造であるので、ノズル部材の風吹き出し口とノズル部材とフード本体の間の風の通路の風吹き出し口とが、ほぼ同一垂直面上にあるので、ノズル部材とフード本体の間の風の通路を使用しない場合と使用する場合では吹き出す風の広がりが異なり、ヘアードライヤーを幅広い用途に用いることが出来るようになった。
【図面の簡単な説明】
【００１１】
【図１】本考案の実施の形態によるヘアードライヤーを、フードユニットをヘアードライヤーの吹き出し口の先端に取り付けた状態で示した斜視図である。
【図２】本考案の実施の形態によるヘアードライヤーのフードユニットを、シャッターを閉じた状態で示す斜視図である。
【図３】本考案の実施の形態によるヘアードライヤーのフードユニットを、シャッターを開いた状態で示す斜視図である。
【図４】本考案の実施の形態によるヘアードライヤーのフードユニットを、シャッターを開いた状態で示した長手方向断面図である。
【考案を実施するための形態】
【００１２】
以下に、本発明の実施の態様によるヘアードライヤーについて、添付図面を使用し説明する。
【００１３】
図１に示すように、本考案の実施の態様によるヘアードライヤー１０は
、手持ち型のヘアードライヤーであって、ヘアードライヤー本体１２の風吹き出し口に着脱可能に取り付けられたフードユニット２０を備えている。
【００１４】
前記フードユニット２０は、先端に風吹き出し口３２を有するほぼ円筒状の前方部分３４と、この前方部分３４の後端から斜め外方後方に延びる円錐台筒状形状の後方部分３６を持つノズル部材３０備え、この後方部分３６の後端部で前記ヘアードライヤー本体１２の風吹き出し口１４に取り付けられている。前記後方部分３６には、周方向に間隔を開けて複数のノズル窓孔３８が形成されている。
【００１５】
前記ノズル部材３０の前記後方部分３６に周囲に沿って重なって、周方向にシャッター部材４０が配置されている。前記ノズル部材の前方部分３４および後方部分３６の外方には、これらと間隔を隔ててフード本体５０が設けられている。
【００１６】
このフード本体５０は、前記前方部分３４および後方部分３６の外周との間に風の通路５２を形成している。この通路の先端は、解放していて風吹き出し口５４となっている。
【００１７】
前記シャッター部材４０には、前記後方部材３６に形成されたノズル窓孔３８と同形で、かつ周方向に同じ間隔を開けて複数のシャッター窓孔４２が形成されている。また、このシャッター部材４０は、円錐台筒状のシャッター本体４４と、このシャッター本体４４の後端にフード本体５０より外方に突出した状態で一体的に設けられ、シャッター本体４４を回転操作するための操作部材４６を備えている。図においては、この操作部材４６をリング状で示したが、シャッター本体４４を回転操作することが出来る形状であればよく、ノブ等であっても良い。操作部材４６は、このような構造であるので、ほとんど加熱されず、したがって、ヘアードライヤーを熱風吹き出し状態で使用していても、取扱者が容易に操作部材を把持してシャッター本体を操作できる。
【００１８】
前記シャッター部材４０は、上記したように、前記後方部分３６に対して周方向に回動可能に設けられており、前記シャッター窓孔４２は、前記ノズル窓孔３８と重なり合い、窓孔が貫通する第1位置と、前記ノズル窓孔３８と重なり合わない第２位置の間で移動可能である。シャッター窓孔４２が前記第２位置にあるとき、シャッター本体４４の２つのシャッター窓孔４２の部分がノズル窓孔３８を閉じるシャッター部４８となる。
【００１９】
位置がシャッター窓孔４２が前記第２位置に配置されたとき、前記シャッター部４８がノズル窓孔３８を閉じ、図２に示したようになる。シャッター窓孔４２が前記第２位置に配置されたとき、ノズル窓孔３８を開き図２に示したようになる。
【００２０】
次に、ヘアードライヤーの使用時における前記ノズル部材３０と前記シャッター部材４０の機能を説明する。
【００２１】
図２のように、ノズル部材３０前記後方部分２２の前記ノズル窓孔３８が閉鎖された状態では、前記ドライヤー本体１２から送出された風は、ノズル部材３０前記前方部分３２の吹き出し口のみ吹き出されるので、集中して強くなる。したがって、毛髪を、部分的に即座に乾燥させることが出来る等の効果がある。
【００２２】
逆に、図３のように、前記ノズル部材３０の前記後方部分３４の前記ノズル窓孔３８が開放された状態では、前記前方部分３４と前記ノズル窓孔３８とに分散する。
【００２３】
前記ノズル窓孔３２を閉鎖されている場合には、風の当たる範囲が集中するため、より乾きにくい深部の髪にまで風を当てることができ、逆に前記ノズル窓孔３８が解放されている場合には、ノズル部材とフード本体との間の風の通路５２にも風が行き、風の通路５２の風吹き出し口からも風が吹き出されることから、毛髪に風を当てる範囲が広範囲となり、より表面的に広面積に風を当てることができる。
【００２４】
このように、前記操作部材４６を介して前記シャッター部材４０によるノズル窓孔３８の開閉作業を行なうことにより、ヘアードライヤーの使用目的に応じて、吹き出し範囲と風の強弱とを調節することができる。
【符号の説明】
【００２５】
１０  ヘアードライヤー
１２  ヘアードライヤー本体
１４  風吹き出し口
３０  ノズル部材
３２  風吹き出し口
３４  前方部分
３６  後方部分
３８  ノズル窓孔
４０  シャッター部材
４２  シャッター窓孔
４４  シャッター本体
４６  操作部材
４８  シャッター部
５０  フード本体
５２  風の通路
５４  風吹き出し口
【図１】
0003156404.tif 000003
【図２】
0003156404.tif 000004
【図３】
0003156404.tif 000005
【図４】
0003156404.tif 000006
【手続補正書】
【提出日】平成21年10月16日(2009.10.16)
【手続補正１】
【補正対象書類名】明細書
【補正対象項目名】００１９
【補正方法】変更
【補正の内容】
【００１９】
位置がシャッター窓孔４２が前記第２位置に配置されたとき、前記シャッター部４８がノズル窓孔３８を閉じ、図２に示したようになる。シャッター窓孔４２が前記第１位置に配置されたとき、ノズル窓孔３８を開き図３に示したようになる。